(57)【特許請求の範囲】
【請求項１】
直火炉の被熱物の入り口側上部に排ガスの排出口を有し、該排出口からの排ガスをエルボ部を介して煙道部に排出されるように構成してなる連続熱処理炉であって、
前記エルボ部の煙道部側の端部が、前記煙道部の軸線から完全に向き替えされるように前記エルボ部を回転させて前記排ガス流路を縁切りさせることを特徴とする連続熱処理炉。
【発明の詳細な説明】
【０００１】
【発明の属する技術分野】
本発明は、可燃性雰囲気ガスを用いる連続熱処理炉に係わる。さらに詳しくは、直火炉の排ガスの煙道部内の爆発防止に関する。
【０００２】
【従来の技術】
例えば、一般的に、帯鋼を亜鉛メッキする場合に、図６に示すように、連続熱処理炉１００の直火炉１０１の入り口１０３から出口１０４に向けて帯鋼１０２を搬送しながら直火炉１０１内の直火バーナ１０５により帯鋼１０２を加熱している。この直火炉１０１の入り口１０３側の上方に排ガスの排出口１０６がありその排出口１０６に排ガスを遮断するためのダンパー１０７が設けてある。また、その上方に排出口１０６と煙道部１１０との排ガス流路を縁切りさせるための横移動可能な移動煙道１２０が設けてある。
【０００３】
また、直火炉１０１の出口側１０４に隣接させて帯鋼１０２に所定の熱処理をする熱処理炉１３０とその先にスナウト１３５および亜鉛メッキ槽が設けてある。この熱処理炉１３０内には帯鋼１０２が酸化しないように水素ガス等を含んだ還元性雰囲気ガスが使用されている。
【０００４】
このような連続熱処炉１００においては、通常操業の場合に直火炉１０１内に流れ込む還元性雰囲気ガスは、直火炉１０１内の一部の直火バーナ１０５により供給される過剰空気により燃焼し、可燃性ガスのまま煙道部１１０に排出されることはない。
【０００５】
ところが、帯鋼搬送中に帯鋼１０２の溶接部が突然切れてしまったり、帯鋼１０２を巻取るための巻取り装置が突然故障を起こし亜鉛メッキラインが停止する場合がある。このような特殊な事態により亜鉛メッキラインが停止すると、すぐにダンパー１０７を閉じて直火炉１０１の直火バーナ１０５の燃焼を停止する。
【０００６】
このように、直火バーナ１０５の燃焼が停止すると直火炉１０１内の温度が除々に低下すると共に還元性雰囲気ガスを完全燃焼させるための空気の供給も止まり還元性雰囲気ガスが未燃ガスとして煙道部１１０に排出される。
【０００７】
【発明が解決しようとする課題】
しかし水素ガスを含んだ還元性雰囲気ガスが可燃性ガスのまま直火炉１０１からダンパー１０７の隙間および移動煙道１２０を介して煙道部１１０に排出され、これと共に煙道部１１０と移動煙道１２０との間の僅かな隙間から大気を吸い込み、可燃性ガスと大気と混合状態となり煙道部１１０の途中に設けてあるレキペレータ内に流れ込みレキペレータ内で静電気等のなんらかのショックを受けて突然爆発を起こすことがある。
【０００８】
このような爆発を防止するために、高さ１ｍ×幅１ｍ×長さ３．５ｍの長方体の内面にキャスタブルを張り付けた３〜４トンもある移動煙道１２０を、点線で示す位置まで横移動させて、直火炉１０１の排ガス口１０６と煙道部１１０を完全に縁切りさせてしまい、煙道部１１０内に水素ガス等を含んだ可燃性ガスが流れ込まないようにさせている。
【０００９】
このような、移動煙道１２０を移動させるには大掛かりな台車やシリンダ等の移動装置を備える必要がある。そこで、本発明は、排ガス煙道の開閉手段を小さな駆動力でもって移動させることができて、且つ、爆発を防止できる連続熱処理炉を提供することを目的とする。
【００１０】
【課題を解決するための手段、及び発明の効果】
請求項１記載の連続熱処理炉は、直火炉の被燃物の入り口側上部に排ガスの排出口を有し、該排出口からの排ガスをエルボ部を介して煙道部に排出されるように構成してなる連続熱処理炉であって、前記エルボ部の煙道部側の端部が、前記煙道部の軸線から完全に向き替えされるように前記エルボ部を回転させて前記排ガス流路を縁切りさせることを特徴とする。
【００１１】
【００１２】
【００１３】
請求項１記載の発明によると、煙道部の軸線からエルボ部の煙道部側が完全に向き替えされるからエルボ部の煙道部側が煙道部と遠ざかり、直火炉と煙道部とが完全に縁切りされる。よって、直火炉内の水素ガス等を含んだ可燃性ガスが煙道内に入り込むことがないから煙道内での爆発を防止することができる。
【００１４】
【発明の実施の形態】
本発明の実施の形態を図に基づいて説明する。図１は、連続熱処理炉を表し、（ａ）は正面概略断面図、（ｂ）は右側側面図である。図２は回転可能なエルボ部を表す正面図である。図３は回転可回能なエルボ部を表し、（ａ）は右側側面図、（ｂ）は平面図である。図４はエルボの回転ローラを表す断面図である。
【００１５】
図１は、亜鉛メッキに使用される連続熱処理炉であって、連続熱処理炉１は、直火炉２と、移動煙道２０と、エルボ部２２と、熱処理炉３０とからなっている。直火炉２は、被燃物である帯鋼３の入り口４と出口５を有しており入り口４側の上部に排ガスの排出口６が設けてある。なお、炉内には複数の直火バーナ７が設けてある。
【００１６】
移動煙道２０は、箱型を形成し排出口６の上方に設けてある。また、排出口６と移動煙道２０の間にダンパー８が設けてある。さらに、移動煙道２０の上方に移動煙道２０からエルボ部２２に排ガスを送るためのダクト２１が設けてある。なお、移動煙道２０は本発明の場合は移動させることなく排出口の上方に乗せたままで使用する。
【００１７】
エルボ部２２は、ダクト２１からの排ガスを煙道部１０に送ったり、ダクト２１と煙道１０を縁切りさせる働きをするものであつて、図２，図３に示すように、Ｌ字形を形成する本体２３と、本体２３に矢印方向に駆動させるためのシリンダ２５がアーム２６を介して回転可能に取り付けてある。
【００１８】
エルボ本体２３は、ダクト２１側の端部２３ｂが直交断面にしてあると共に、煙道１０側の他端部２３ｂは開閉がし易くなるように傾斜を持たせて形成してある。また、図４に示すように、エルボ本体２３の下方に２個の回転補助用のターニングローラ２７が設けてある。なお、２９は断熱材である。
【００１９】
熱処理炉３０は、図１に示すように、直火炉２の出口５からスナウト３５までの間を接続させるためのものであり、加熱された帯鋼３がスナウト３５まで到達する間に酸化しないように水素ガス等を含んだ可燃性の雰囲気ガスで満たしてある。
【００２０】
次に、発明の実施の形態の動作を説明する。
通常の操業の場合は、移動煙道２０を介してダクト２１から煙道部１０に燃焼排ガスが排出するようにダンパー８を開くと共に、エルボ部２２の他端部２３ｂを煙道部１０に合わせておく。次に、直火バーナ７を燃焼させて直火炉２内を加熱して昇温する。従って、ここでの燃焼排ガスは移動煙道２０、ダクト２１、エルボ部２２を介して煙道部１０に排出される。
【００２１】
また、同時に熱処理炉３０内に水素ガス等を吹き込み可燃性ガス雰囲気とする。
この状態で、帯鋼３を入り口３から出口４に搬送しながら加熱し熱処理炉３０内を介してスナウト３５内に搬送する。
【００２２】
ところが、搬送中に帯鋼３の接続部が切れたり、帯鋼３の巻取り装置が故障したりすると亜鉛メッキラインが停止する。
そこで、すぐにダンパー８を閉じ、シリンダ２５を作動させて図３（ａ）の点線で示すような位置にエルボ本体２３を回転させて端部２３ｂを煙道部１０の軸心から上方に遠ざけてやる。
【００２３】
この場合に、図４に示すように、エルボ部２２の下方に２個のターニングローラ２７が両側から支えているので、小さなシリンダ２５であっても容易にエルボ２２を回転させることができる。
上述のように、ダンパー８を閉じると共に、直火バーナ７を止めてしまうと、直火炉２内の温度が除々に低下すると共に還元性雰囲気ガスを燃焼させるに必要な空気の供給が止まる。
【００２４】
すると、可燃性ガスは、排出口６からダンパー８の隙間を通過して移動煙道２０、ダクト２１を介してエルボ部２２に入り、煙道部１０の軸心１２から遠ざけて上方に向ている他端部２３ｂから大気中に放出される。
従って、エルボ部２２と煙道部１０が縁切りされてしまい煙道部１０内に可燃性ガスが送られることがないから、煙道部１０内で生ずる可燃性ガスの爆発を防止することができる。
【００２５】
その他の例として、図５（ａ）に示すように、煙道部１０に点線で示す開口部１４を設け、蓋体１５を取り除くことにより煙道部１０に開口する隙間を設けてもよい。また、図５（ｂ）に示すように煙道部１０に隙間１６を設け、外筒１７をスライドさせることにより隙間１６を開口させるように設けてもよい。
【００２６】
こうすると、この隙間から大量の大気が導入されるから外部に放出した時と同様に煙道部内において爆発が起こり難くなる。
以上、本発明の実施の形態について説明したが、本発明の趣旨の範囲を越えない限り種々の発明の実施の形態ができる。例えば、発明の実施の形態ではエルボ２２を上方に回転させて煙道部１０と縁切りするよう説明したが、縁切りができるようにエルボを他の方向に回転させてもよい。
【００２７】
また、発明の実施の形態では、亜鉛メッキ炉として説明したがその他の水素ガスあるいは一酸化炭素等を用いる熱処理炉に適用できる。
【図面の簡単な説明】
【図１】  発明の実施の形態の連続熱処理炉の要部を表し、（ａ）は正面概略断面図、（ｂ）は右側側面図。
【図２】  発明の実施の形態のエルボ部の要部を表す正面図。
【図３】  発明の実施の形態のエルボ部を表し、（ａ）は右側側面図、（ｂ）は平面図。
【図４】  発明の実施の形態のエルボの回転ローラを表す断面図。
【図５】  その他の発明の実施の形態の煙道部開口の要部を表す概略説明図。
【図６】  従来例の連続熱処理炉の要部を表し、（ａ）は正面概略断面図、（ｂ）は右側側面図。
【符号の説明】
１…連続熱処理炉、２…直火炉、３…帯鋼、４…入り口、６…排出口、１０…煙道部、１２…軸線、２２…エルボ部、２３ｂ…他端部。
【図１】
0004066482.tif 000002
【図２】
0004066482.tif 000003
【図３】
0004066482.tif 000004
【図４】
0004066482.tif 000005
【図５】
0004066482.tif 000006
【図６】
0004066482.tif 000007